(57)【要約】【課題】粉砕対象物と共に粉砕用媒体が投入される粉砕室と、当該粉砕室で粉砕用媒体を撹拌させて粉砕対象物に衝突力を加える撹拌機構部とを備えた粉砕装置において、粉砕対象物を効率良く微細に粉砕することができる技術を提供する。【解決手段】粉砕対象物Ｘを粉砕室１０の外壁面１０ａに密着させる密着構造１６を備え、撹拌機構部２０が、粉砕室１０の外壁面１０ａに密着した粉砕対象物Ｘに対して粉砕用媒体１５の衝突力を加える。【選択図】図１
2017170333.tif 000002
【特許請求の範囲】
【請求項１】
粉砕対象物と共に粉砕用媒体が投入される粉砕室と、当該粉砕室で前記粉砕用媒体を撹拌させて前記粉砕対象物に衝突力を加える撹拌機構部とを備えた粉砕装置であって、
前記粉砕対象物を前記粉砕室の外壁面に密着させる密着構造を備え、
前記撹拌機構部が、前記粉砕室の外壁面に密着した粉砕対象物に対して前記粉砕用媒体の衝突力を加える粉砕装置。
【請求項２】
前記密着構造が、前記粉砕室の外壁面に沿って敷設された可撓性シート部材を備えて、当該可撓性シート部材と前記粉砕室の外壁面との間に前記粉砕対象物を収容する収容空間を形成して構成され、
前記粉砕室において、前記粉砕用媒体が、前記可撓性シート部材の前記粉砕室の外壁面とは反対側に投入され、前記撹拌機構部により撹拌されて、前記可撓性シート部材を介して前記粉砕対象物に衝突する請求項１に記載の粉砕装置。
【請求項３】
前記粉砕室を内部に形成し、水平方向に沿った筒軸心周りで回転自在な筒状容器を備えると共に、
前記撹拌機構部が、前記筒状容器を前記筒軸心周りで回転駆動させて、前記筒状容器内で前記粉砕用媒体を撹拌させ、
前記可撓性シート部材が、前記筒状容器の内壁面に沿って敷設された筒状の部材として構成されている請求項２に記載の粉砕装置。
【請求項４】
前記密着構造が、ガスの通過を許容しながら粉砕用媒体及び粉砕前の粉砕対象物の通過を阻止する多数の開孔を有するメッシュ状隔壁を前記粉砕室の外壁として備えると共に、前記メッシュ状隔壁の開孔に前記粉砕室から外部へのガス吸引力を発生させる吸引機構部を備えて構成されている請求項１に記載の粉砕装置。
【請求項５】
前記粉砕室を内部に形成した外側容器を備えると共に、
前記メッシュ状隔壁が、前記外側容器の内壁面の内側に設けられた筒状の部材として構成され、
前記撹拌機構部が、前記メッシュ状隔壁の内側に内挿されて回転軸周りに回転自在な撹拌翼を回転駆動させて、前記メッシュ状隔壁の内側で前記粉砕用媒体を撹拌させ、
前記吸引機構部が、前記外側容器の内壁面と前記メッシュ状隔壁との間に形成された吸引空間から外部にガスを吸引する請求項４に記載の粉砕装置。
【発明の詳細な説明】
【技術分野】
【０００１】
本発明は、粉砕対象物と共に粉砕用媒体が投入される粉砕室と、当該粉砕室で前記粉砕用媒体を撹拌させて前記粉砕対象物に衝突力を加える撹拌機構部とを備えた粉砕装置に関する。
【背景技術】
【０００２】
このような粉砕装置は、ボールミルやビーズミルとして知られている（例えば特許文献１を参照）。
例えば、従来のボールミルは、水平方向に沿った筒軸心周りで回転自在な筒状容器と、その筒状容器を筒軸心周りで回転駆動させる撹拌機構部とを備える。そして、筒状容器内に形成された粉砕室に粉砕対象物を投入すると共に、セラミックや金属製等のボールを粉砕用媒体として投入し、撹拌機構部により筒状容器を回転駆動させる。すると、筒状容器内の粉砕室では、粉砕用媒体が筒状容器の内壁面に沿って流動する形態で撹拌され、その撹拌された粉砕用媒体が粉砕対象物に衝突し、その衝突力により粉砕対象物が粉砕される。
一方、従来のビーズミルは、固定の筒状容器と、その筒状容器に内挿されて軸心回りで回転自在な撹拌翼と、その撹拌翼を鉛直又は水平方向に沿った軸心周りで回転駆動させる撹拌機構部とを備える。そして、従来のビーズミルは、筒状容器内に形成された粉砕室に粉砕対象物を投入すると共に、セラミックや金属製のビーズを粉砕用媒体として投入し、撹拌機構部により撹拌翼を回転駆動させる。すると、筒状容器内の粉砕室では、粉砕用媒体が撹拌翼との衝突により撹拌され、その撹拌された粉砕用媒体が粉砕対象物に衝突し、その衝突力により粉砕対象物が粉砕される。
【先行技術文献】
【特許文献】
【０００３】
【特許文献１】特開２０１６−１６１３公報
【発明の概要】
【発明が解決しようとする課題】
【０００４】
このような粉砕装置では、粉砕室において粉砕対象物が比較的自由に挙動できるため、粉砕用媒体が粉砕対象物に衝突したとしても、粉砕対象物に加えられる衝突力は比較的小さくなる。そのため、粉砕対象物を十分に粉砕するためには、強力に粉砕用媒体を撹拌するか、長時間に亘って粉砕を継続する必要があり、このことで省エネ性や処理効率が低下する。
特に、回転駆動される筒状容器や撹拌翼は粉砕室の中央付近に近づくほど速度が小さくなることから、その粉砕室の中央付近での粉砕用媒体の挙動は緩慢になる。よって、その中央付近に存在する粉砕対象物は他の位置に存在する粉砕対象物よりも粉砕され難くなって、粉砕後の粉砕対象物の粒子径にムラが生じる場合がある。そして、このムラを解消するためには、比較的長時間に亘って処理を行う必要があった。
【０００５】
この実情に鑑み、本発明の主たる課題は、粉砕対象物と共に粉砕用媒体が投入される粉砕室と、当該粉砕室で前記粉砕用媒体を撹拌させて前記粉砕対象物に衝突力を加える撹拌機構部とを備えた粉砕装置において、粉砕対象物を効率良く微細に粉砕することができる技術を提供する点にある。
【課題を解決するための手段】
【０００６】
本発明の第１特徴構成は、粉砕対象物と共に粉砕用媒体が投入される粉砕室と、当該粉砕室で前記粉砕用媒体を撹拌させて前記粉砕対象物に衝突力を加える撹拌機構部とを備えた粉砕装置であって、
前記粉砕対象物を前記粉砕室の外壁面に密着させる密着構造を備え、
前記撹拌機構部が、前記粉砕室の外壁面に密着した粉砕対象物に対して前記粉砕用媒体の衝突力を加える点にある。
【０００７】
本構成によれば、粉砕室において、粉砕対象物は上記密着構造により粉砕室の外壁面に密着して拘束された状態に維持される。よって、上記撹拌機構部により撹拌された粉砕用媒体は、粉砕室の外壁面に密着され拘束された粉砕対象物に当該外壁面との間に挟み込む状態で衝突するので、粉砕用媒体に対し大きな撹拌力を与えなくても、粉砕対処物に比較的大きな衝突力を加えて短時間で微細に粉砕することができる。更に、粉砕室の外壁面付近では、上記撹拌機構部により撹拌される粉砕用媒体の挙動が中央付近よりも激しくなることから、その外壁面に密着する粉砕対象物に対して、粉砕用媒体は一層強力且つ安定して衝突力を加えることができる。そして、この構成により、粉砕対象物を一層短時間で微細に粉砕することができる。
従って、本発明により、粉砕対象物を効率良く微細に粉砕することができる粉砕装置を実現することができる。
【０００８】
本発明の第２特徴構成は、前記密着構造が、前記粉砕室の外壁面に沿って敷設された可撓性シート部材を備えて、当該可撓性シート部材と前記粉砕室の外壁面との間に前記粉砕対象物を収容する収容空間を形成して構成され、
前記粉砕室において、前記粉砕用媒体が、前記可撓性シート部材の前記収容空間とは反対側に投入され、前記撹拌機構部により撹拌されて、前記可撓性シート部材を介して前記粉砕対象物に衝突する点にある。
【０００９】
本構成によれば、粉砕対象物を粉砕室の外壁面に密着させる密着構造を、粉砕室の外壁面に沿って敷設された可撓性シート部材で実現することができる。即ち、粉砕室に粉砕対象物を投入するにあたり、当該粉砕対象物を可撓性シート部材と粉砕室の外壁面との間に形成された収容空間に収容すれば、粉砕室において粉砕対象物を、粉砕室の外壁面に密着した状態で存在させることができる。一方、粉砕用媒体は、粉砕室において可撓性シート部材の粉砕対象物の収容空間とは反対側の空間に投入され、撹拌機構部により撹拌されることで、その空間の外側に存在する可撓性シート部材の内面に衝突する。すると、可撓性シート部材が外側に撓むことで、粉砕用媒体の衝突力が可撓性シート部材の外側の収容空間に収容された粉砕対象物に伝達され、その衝突力により粉砕対象物が粉砕することになる。
【００１０】
本発明の第３特徴構成は、前記粉砕室を内部に形成し、水平方向に沿った筒軸心周りで回転自在な筒状容器を備えると共に、
前記撹拌機構部が、前記筒状容器を前記筒軸心周りで回転駆動させて、前記筒状容器内で前記粉砕用媒体を撹拌させ、
前記可撓性シート部材が、前記筒状容器の内壁面に沿って敷設された筒状の部材として構成されている点にある。
【００１１】
本構成によれば、粉砕対象物を粉砕室の外壁面に密着させるための密着構造を上述した可撓性シート部材で構成する場合には、所謂ボールミルの構成を採用して本発明に係る粉砕装置を好適に実現することができる。
即ち、水平方向に沿った筒軸心周りで回転自在な筒状容器内の粉砕室において、粉砕対象物は、粉砕室の外壁面となる筒状容器の内壁面と、当該内壁面に沿って敷設された筒状の可撓性シート部材との間に形成された収容空間に収容する形態で、筒状容器内に投入される。一方、粉砕用媒体は、筒状の可撓性シート部材を基点に粉砕対象物の収容空間とは反対側の空間、即ち筒状の可撓性シート部材の内側の空間に投入される。この状態で、上記撹拌機構部により、筒状容器を水平方向に沿った筒軸心周りで回転駆動させると、その粉砕用媒体は、筒状容器の内壁面に沿って流動する形態で撹拌されて、筒状の可撓性シート部材の内周面に衝突し、その衝突力が、筒状の可撓性シート部材を介して筒状容器の内壁面との間の収容空間に収容された粉砕対象物に伝達されることになり、結果、その衝突力により粉砕対象物を粉砕することができる。
【００１２】
本発明の第４特徴構成は、前記密着構造が、ガスの通過を許容しながら粉砕用媒体及び粉砕前の粉砕対象物の通過を阻止する多数の開孔を有するメッシュ状隔壁を前記粉砕室の外壁として備えると共に、前記メッシュ状隔壁の開孔に前記粉砕室から外部へのガス吸引力を発生させる吸引機構部を備えて構成されている点にある。
【００１３】
本構成によれば、粉砕対象物を粉砕室の外壁面に密着させる密着構造を、粉砕室の外壁として備えられたメッシュ状隔壁と、メッシュ状隔壁の開孔に粉砕室から外部へのガス吸引力を発生させる吸引機構部とで実現することができる。即ち、メッシュ状隔壁の内側に形成される粉砕室に粉砕対象物を投入して吸引機構部を作動させれば、粉砕対象物は、吸引機構部の吸引力により、メッシュ状隔壁側に移動し、メッシュ状隔壁の開孔を通過することなく当該メッシュ状隔壁の内壁面に密着することになる。一方、メッシュ状隔壁の内側の粉砕室に投入された粉砕用媒体は、撹拌機構部により撹拌されることで、メッシュ状隔壁の開孔を通過することなく、粉砕室の外壁面となるメッシュ状隔壁の内壁面に密着する粉砕対象物に衝突することになり、結果、その衝突力により粉砕対象物を粉砕することができる。
また、粉砕後の微細な粉砕対象物は、ガスと共にメッシュ状隔壁の開孔を通過するので、その通過したガスから分離する形態で回収することができる。
【００１４】
本発明の第５特徴構成は、前記粉砕室を内部に形成した外側容器を備えると共に、
前記メッシュ状隔壁が、前記外側容器の内壁面の内側に設けられた筒状の部材として構成され、
前記撹拌機構部が、前記メッシュ状隔壁の内側に内挿されて回転軸周りに回転自在な撹拌翼を回転駆動させて、前記メッシュ状隔壁の内側で前記粉砕用媒体を撹拌させ、
前記吸引機構部が、前記外側容器の内壁面と前記メッシュ状隔壁との間に形成された吸引空間から外部にガスを吸引する点にある。
【００１５】
本構成によれば、粉砕対象物を粉砕室の外壁面に密着させるための密着構造を上述したメッシュ状隔壁及び吸引気候部で構成する場合には、所謂ビーズミルの構成を採用して本発明に係る粉砕装置を好適に実現することができる。
即ち、外側容器内に設けられた筒状のメッシュ状隔壁の内側に形成される粉砕室において、粉砕対象物は、吸引機構部の吸引力によりメッシュ状隔壁の内壁面に密着する。一方、粉砕用媒体は、その筒状のメッシュ状隔壁の内側の粉砕室に投入される。この状態で、撹拌機構部により、メッシュ状隔壁に内挿された撹拌翼を回転駆動させると、その粉砕用媒体は、撹拌翼との衝突により撹拌され、その外側のメッシュ状隔壁の内壁面に密着する粉砕対象物に衝突することになり、結果、その衝突力により粉砕対象物を粉砕することができる。
【図面の簡単な説明】
【００１６】
【図１】第１実施形態の粉砕装置の概略構成図
【図２】図１に示す粉砕装置の粉砕室の状態を説明する側断面図
【図３】第２実施形態の粉砕装置の概略構成図
【図４】図３に示す粉砕装置の粉砕室の状態を説明する平断面図
【発明を実施するための形態】
【００１７】
〔第１実施形態〕
本発明に係る粉砕装置の第１実施形態を図１及び図２に基づいて説明する。
本実施形態の粉砕装置１００は、バイオ材料、合成樹脂、有機材料、金属等の粒状体である粉砕対象物Ｘと共にセラミックや金属製等の球状体で構成されたボール１５（粉砕用媒体の一例）が投入される粉砕室１０と、当該粉砕室１０でボール１５を撹拌させて粉砕対象物Ｘに衝突力を加える撹拌機構部３０とを備えた所謂ボールミルとして構成されている。
【００１８】
即ち、この粉砕装置１００は、粉砕室１０を内部に形成し、水平方向に沿った筒軸心周りで回転自在で両端が塞がれた円筒状の筒状容器１１を備えており、その筒状容器１１内に形成された粉砕室１０に、粉砕用媒体であるボール１５が、例えば２０〜５０％の充填率で投入されている。
【００１９】
撹拌機構部３０は、筒状容器１１の筒軸心に設けられた回転軸部１７と、当該回転軸部１７を回転自在に軸受けする軸受け部１８と、当該回転軸部１７を回転駆動させる駆動用モータ１９で構成されている。そして、駆動用モータ１９が作動することで、回転軸部１７を介して筒状容器１１が、例えば１０〜１５０ｒｐｍの回転速度で、筒軸心周りに回転駆動する。
【００２０】
このように筒状容器１１が水平方向に沿った筒軸心周りで回転駆動すると、粉砕室１０では、図２に示すように、ボール１５がその回転駆動に伴って筒状容器１１の内壁面１１ｉに沿って流動する形態で撹拌される。そして、詳細については後述するが、粉砕室１０に投入された粉砕対象物Ｘは、そのように撹拌されたボール１５により衝突力が加えられて粉砕されることになる。
【００２１】
この粉砕装置１００には、粉砕対象物Ｘを効率良く微細に粉砕するために、粉砕対象物Ｘを筒状容器１１の内壁面１１ｉである粉砕室１０の外壁面１０ａに密着させる密着構造１６を備えている。更に、その密着構造１６は、粉砕室１０の外壁面１０ａに沿って敷設された可撓性シート部材１２を備えて、当該可撓性シート部材１２と粉砕室１０の外壁面１０ａとの間に粉砕対象物を収容する収容空間１４を形成して構成されている。
【００２２】
可撓性シート部材１２は、粉砕室１０の外壁面１０ａである筒状容器１１の内壁面１１ｉに沿って敷設された円筒状の部材として設けられている。尚、可撓性シート部材１２の内側への垂下を防止して筒状に保形するために、当該可撓性シート部材１２は、筒状容器１１の内壁面１１ｉとの間に所定の筒状空間が形成される状態で、当該筒状容器１１に対して複数個所で可撓性のバンド１３により固定されている。
そして、粉砕対象物Ｘは、この筒状の可撓性シート部材１２と筒状容器１１との間に形成された収容空間１４に充填される形態で、筒状容器１１内に投入される。
【００２３】
尚、可撓性シート部材１２の材料としては、ボール１５の衝突に対して耐久性を有する可撓性のシート材料を利用することができる。例えば、ＰＥＥＫ樹脂、ポリイミド樹脂、ＰＴＦＥやＰＦＡなどのフッ素樹脂製のシート材料や、ステンレスの線材をシート状に編み込んでなるステンレスメッシュなどを可撓性シート部材１２の材料として好適に利用することができる。
【００２４】
粉砕用媒体としてのボール１５は、筒状の可撓性シート部材１２を基点にして筒状容器１１の内壁面１１ｉとの間の収容空間１４とは反対側の空間、即ち筒状の可撓性シート部材１２の内側の空間に投入される。この状態で、駆動用モータ１９を作動させて筒状容器１１を水平方向に沿った筒軸心周りで回転駆動させると、筒状容器１１内の粉砕室１０では、図２に示すように、ボール１５が、筒状容器１１の内壁面１１ｉに沿って流動する形態で撹拌されることで、筒状の可撓性シート部材１２の内周面に衝突する。すると、そのボール１５の衝突により可撓性シート部材１２の衝突部が外側に撓み、その可撓性シート部材１２の撓みを介して、可撓性シート部材１２の外側の収容空間１４に収容された粉砕対象物Ｘには、ボール１５と粉砕室１０の外壁面１０ａとの間に挟み込まれる状態で、比較的大きな衝突力が伝達されることになる。更に、粉砕室１０において、外周に近いほどボール１５の挙動が激しくなることから、粉砕室１０の外壁面１０ａに密着する粉砕対象物Ｘには、一層強力且つ安定した衝突力が加えられることになる。このことで、粉砕対象物Ｘは、短時間で効率良く微細に粉砕されることになる。
【００２５】
尚、本実施形態では、可撓性シート部材１２を備えて粉砕対象物Ｘを粉砕室１０の外壁面１０ａに密着させる密着構造１６を構成する場合において、粉砕装置１００を所謂ボールミルとして構成したが、可撓性シート部材１２と粉砕室１０の外壁面１０ａとの間に介在する粉砕対象物Ｘに対して可撓性シート部材１２の内側から粉砕用媒体の衝突力を加えるものであれば、ビーズミルなどの別の形態の粉砕装置として構成しても構わない。
【００２６】
〔第２実施形態〕
本発明に係る粉砕装置の第２実施形態を図３及び図４に基づいて説明する。
本実施形態の粉砕装置２００は、バイオ材料、合成樹脂、有機材料、金属等の粒状体である粉砕対象物Ｘと共にセラミックや金属製等の粒状体で構成されたビーズ２５（粉砕用媒体の一例）が投入される粉砕室２０と、当該粉砕室２０でビーズ２５を撹拌させて粉砕対象物Ｘに衝突力を加える撹拌機構部３０とを備えた所謂ビーズミルとして構成されている。
【００２７】
即ち、この粉砕装置２００は、粉砕室２０を内部に形成した有底筒状の外側容器２１を備えており、その外側容器２１内に形成された粉砕室２０に、粉砕対象物Ｘと共に、粉砕用媒体であるビーズ２５が、後述する撹拌翼２７との衝突により比較的自由に挙動できる状態で投入されている。
更に、詳細については後述するが、この外側容器２１内には、円筒状のメッシュ状隔壁２２が、粉砕室２０の外壁として設けられている。
【００２８】
撹拌機構部３０は、メッシュ状隔壁２２の内側に内挿されて鉛直方向に沿った回転軸部２８周りに回転自在な撹拌翼２７と、当該撹拌翼２７の回転軸部２８を回転駆動させる駆動用モータ２９で構成されている。そして、駆動用モータ２９が作動することで、回転軸部２８を介して撹拌翼２７が回転駆動する。
【００２９】
このように粉砕室２０において撹拌翼２７が回転駆動すると、粉砕室２０では、図４に示すように、ビーズ２５がその撹拌翼２７と衝突して撹拌される。そして、詳細については後述するが、粉砕室２０に投入された粉砕対象物Ｘは、そのように撹拌されたビーズ２５と直接衝突する形態で衝突力が加えられて粉砕されることになる。
【００３０】
この粉砕装置２００には、粉砕対象物Ｘを効率良く微細に粉砕するために、粉砕対象物Ｘをメッシュ状隔壁２２の内壁面２２ｉである粉砕室２０の外壁面２０ａに密着させる密着構造２６を備えている。更に、その密着構造２６は、ガスの通過を許容しながらビーズ２５及び粉砕前の粉砕対象物Ｘの通過を阻止する大きさの開孔２２ａが多数設けられたメッシュ状隔壁２２を粉砕室２０の外壁として備えると共に、当該メッシュ状隔壁２２の開孔２２ａに粉砕室２０から外部へのガス吸引力を発生させる吸引機構部３５を備えて構成されている。
【００３１】
円筒状のメッシュ状隔壁２２は、外側容器２１の内壁面２１ｉとの間に所定の吸引空間２４が形成される状態で、当該外側容器２１に対して複数個所でスペーサ２３を介在させた状態で固定されている。
また、メッシュ状隔壁２２に設けられた開孔２２ａの直径は、粉砕後の粉砕対象物Ｘ１の目標粒子径よりも僅かに大きいものに設定されており、これにより、この開孔２２ａを通過した粉砕後の粉砕対象物Ｘ１の粒子径は、目標粒子径又はそれ以下のものとなる。
【００３２】
一方、この吸引機構部３５は、外側容器２１の内壁面２１ｉとメッシュ状隔壁２２との間に形成された吸引空間２４から外部にガス（空気）を吸引する吸引ポンプ３３により構成されている。
よって、吸引ポンプ３３が作動して吸引空間２４から外部にガスが吸引されると、粉砕室２０では、図４に示すように、メッシュ状隔壁２２の開孔２２ａに粉砕室２０から吸引空間２４へのガス吸引力が発生し、その吸引力により、粉砕対象物Ｘは、メッシュ状隔壁２２側に移動し、メッシュ状隔壁２２の開孔２２ａを通過することなく当該メッシュ状隔壁２２の内壁面２２ｉに密着する状態となる。
【００３３】
粉砕用媒体としてのビーズ２５は、粉砕対象物Ｘと共に粉砕室２０に投入される。このとき、ビーズ２５の比重は粉砕対象物Ｘよりも大きいものとされており、更に、吸引ポンプ３３によりメッシュ状隔壁２２の開孔２２ａに発生される吸引力は、粉砕対象物Ｘは引き付けるがビーズ２５は引き付けることができない程度の大きさに設定されている。これにより、ビーズ２５は、粉砕室２０を比較的自由に挙動できることになる。
【００３４】
この状態で、吸引ポンプ３３を作動させて開孔２２ａに粉砕室２０から吸引空間２４へのガス吸引力を発生させながら、駆動用モータ２９を作動させて撹拌翼２７を回転駆動させると、粉砕室２０では、図４に示すように、ビーズ２５が、回転駆動される撹拌翼２７と衝突して撹拌されて、その外側のメッシュ状隔壁２２の開孔２２ａを通過することなく、メッシュ状隔壁２２の内壁面２２ｉに密着する粉砕対象物Ｘに衝突する。このことで、当該粉砕対象物Ｘには、比較的大きな衝突力が加えられることになる。更に、粉砕室２０において、外周に近いほどビーズ２５の挙動が激しくなることから、粉砕室２０の外壁面２０ａに密着する粉砕対象物Ｘには、一層強力且つ安定した衝突力が加えられることになる。このことで、粉砕対象物Ｘは、効率良く微細に粉砕されることになる。
【００３５】
更に、粉砕後に粒子径が小さくなった粉砕後の粉砕対象物Ｘ１は、ガスと共にメッシュ状隔壁２２の開孔２２ａを通過し吸引空間２４を通じて外部に排出されることになるが、バグフィルタやサイクロンなどの分離装置３２により分離する形態で回収することができる。
【００３６】
尚、本実施形態では、メッシュ状隔壁２２や吸引機構部３５を備えて粉砕対象物Ｘをメッシュ状隔壁２２の内壁面２２ｉに密着させる密着構造２６を構成する場合において、粉砕装置２００を所謂ビーズミルとして構成したが、メッシュ状隔壁２２の内壁面２２ｉに密着する粉砕対象物Ｘに対して当該メッシュ状隔壁２２の内側から粉砕用媒体の衝突力を加えるものであれば、ボールミルなどの別の形態の粉砕装置として構成しても構わない。
【００３７】
〔別実施形態〕
（１）上記実施形態では、粉砕対象物Ｘを粉砕室１０，２０の外壁面１０ａ，２０ａに密着させる密着構造として、可撓性シート部材１２を備えた密着構造１６（図１，２参照）や、メッシュ状隔壁２２及び吸引機構部３５を備えた密着構造２６（図３，４参照）を採用したが、例えば粉砕対象物Ｘに遠心力を加えて外壁面に密着させるなど別の密着構造を採用しても構わない。
【００３８】
（２）上記実施形態では、粉砕対象物Ｘをバイオ材料、合成樹脂、有機材料、金属等の粒状体としたが、別の形態及び材質の材料を粉砕対象物としても構わない。また、粉砕用媒体についても、セラミックや金属製等の球状体で構成されたボール１５やビーズ２５とは別の形態及び材質のものを利用しても構わない。
【符号の説明】
【００３９】
１０    粉砕室
１０ａ  外壁面
１１    筒状容器
１１ｉ  内壁面
１２    可撓性シート部材
１５    ボール（粉砕用媒体）
１６    密着構造
２０    粉砕室
２０ａ  外壁面
２１    外側容器
２１ｉ  内壁面
２２    メッシュ状隔壁
２２ａ  開孔
２２ｉ  内壁面
２４    吸引空間
２５    ビーズ（粉砕用媒体）
２６    密着構造
２７    撹拌翼
３０    撹拌機構部
３５    吸引機構部
１００  粉砕装置
２００  粉砕装置
Ｘ      粉砕対象物
【図１】
2017170333.tif 000003
【図２】
2017170333.tif 000004
【図３】
2017170333.tif 000005
【図４】
2017170333.tif 000006